(57)【要約】      （修正有）【課題】床材の張り替え作業を簡単に行うことができる床排水トラップを提供する。【解決手段】床排水トラップは、排水ホースが接続されるホースジョイント１０と、ホースジョイントが接続され床板１２０に固定される床固定部材４０と、床固定部材にスライド移動して取り付けられホースジョイントを床固定部材に押し付けるカバー部材６０と、床固定部材に保持される封水筒７０とを有する。床固定部材は、ホースジョイントが着脱自在に接続されるとともに排水管に接続される接続部４１と、接続部に着脱自在に連結されカバー部材がスライド移動して取り付けられるフランジ部４２とを有する。フランジ部は複数個の構成片４３、４４に分割され、それぞれの構成片は床板に着脱自在にネジ締結される。【選択図】図３
2020084434.tif 000002
【特許請求の範囲】
【請求項１】
排水ホースによって導かれた排水を床板の下穴に立ち上げられた排水管に排出する床排水トラップにおいて、
前記排水ホースが接続されるホースジョイントと、
前記ホースジョイントが接続され前記床板に固定される床固定部材と、
前記床固定部材にスライド移動して取り付けられ前記ホースジョイントを前記床固定部材に押し付けるカバー部材と、
前記床固定部材に保持される封水筒とを有し、
前記床固定部材は、
前記ホースジョイントが着脱自在に接続されるとともに前記排水管に接続される接続部と、
前記接続部に着脱自在に連結され前記カバー部材がスライド移動して取り付けられるフランジ部とを有し、
前記フランジ部が複数個の構成片に分割され、それぞれの構成片が前記床板に着脱自在にネジ締結されることを特徴とする床排水トラップ。
【請求項２】
前記接続部は筒形状を有し、前記フランジ部の前記構成片は前記接続部を径方向外方から挟持自在な挟持部を有する請求項１に記載の床排水トラップ。
【請求項３】
前記接続部は、前記床板よりも上方の位置において外方に向けて突出する凸部を有し、
前記フランジ部の前記構成片は、前記接続部の前記凸部を支持する凹所を有する請求項１または請求項２に記載の床排水トラップ。
【請求項４】
前記フランジ部の前記構成片は、前記カバー部材をスライド移動させる方向に分割されている請求項１〜３のいずれか１項に記載の床排水トラップ。
【発明の詳細な説明】
【技術分野】
【０００１】
本発明は、床面等に取り付けて使用する床排水トラップに関する。
【背景技術】
【０００２】
排水ホースによって導かれた電気洗濯機等からの排水を床下に排出する場合、床排水トラップが使用される。床排水トラップは、単に排水を流すだけでなく、排水の一部を貯留して封水を確保し、これにより臭気の逆流を阻止する機能を備えている。床排水トラップは、床板に形成された下穴に立ち上げられた排水管に接続され、下穴を塞ぐように取り付けられる。
【０００３】
本件出願人は、排水ホースが接続されるホースジョイントを取り付けたり、取り外したりするときの操作性を改善した床排水トラップを提案した（特許文献１を参照）。この床排水トラップは、ホースジョイントが接続され床板に固定される床固定部材と、床固定部材にスライド移動して取り付けられるカバー部材とを有している。カバー部材を床固定部材に取り付けることによって、ホースジョイントが床固定部材に押し付けられる。床固定部材は、排水管に接続される接続部と、カバー部材がスライド移動して取り付けられるフランジ部とを有する。フランジ部は、接続部の外方に向けて拡がった形状を有し、接続部よりも大きい。フランジ部は、接続部と一体的に形成され、床板にネジ締結される。
【先行技術文献】
【特許文献】
【０００４】
【特許文献１】特許第５０１６３６１号
【発明の概要】
【発明が解決しようとする課題】
【０００５】
床板の上にはクッションフロアやフロアタイルなどの床材が敷設されている。床排水トラップの周囲に床板そのものが見えると美感が損なわれる。このため、床排水トラップを施工するときには、床固定部材の接続部を通過させることができ、かつ、フランジ部を通過させることができない程度の大きさの穴を床材に形成し、穴の周囲の床材を床固定部材と床板との間に挟み込んでいる。
【０００６】
既設の床材を新規な床材に張り替えることがある。床固定部材のフランジ部は接続部よりも大きいことから、床材を張り替える場合に、フランジ部を通過させることができる程度の大きさの穴を床材に形成したときには、床排水トラップの周囲に床板そのものが見えてしまい美感が損なわれる。このため、排水管を切断して床排水トラップを一旦取り外し、床材を張り替え、その後に床排水トラップを再び排水管に接続する作業を行っている。
【０００７】
しかしながら、排水管を切断したり、床排水トラップを再び排水管に接続したりする等の作業が必要であり、床材の張り替え作業が煩雑である。
【０００８】
そこで、本発明の目的は、本件出願人が先に提案したホースジョイントの取り付け・取り外しの操作性を改善した床排水トラップをさらに改善し、床材の張り替え作業を簡単に行うことができる床排水トラップを提供することにある。
【課題を解決するための手段】
【０００９】
上記目的を達成するための本発明の床排水トラップは、排水ホースによって導かれた排水を床板の下穴に立ち上げられた排水管に排出する床排水トラップであって、前記排水ホースが接続されるホースジョイントと、前記ホースジョイントが接続され前記床板に固定される床固定部材と、前記床固定部材にスライド移動して取り付けられ前記ホースジョイントを前記床固定部材に押し付けるカバー部材と、前記床固定部材に保持される封水筒とを有する。前記床固定部材は、前記ホースジョイントが着脱自在に接続されるとともに前記排水管に接続される接続部と、前記接続部に着脱自在に連結され前記カバー部材がスライド移動して取り付けられるフランジ部とを有する。そして、前記フランジ部が複数個の構成片に分割され、それぞれの構成片が前記床板に着脱自在にネジ締結される。
【発明の効果】
【００１０】
本発明の床排水トラップは、床固定部材における接続部とフランジ部とが着脱自在であり、フランジ部が複数個の構成片に分割されている。フランジ部におけるそれぞれの構成片の床板へのネジ締結を解除することによって、接続部を排水管に接続したままの状態で、フランジ部の構成片を、接続部および床板から取り外すことができる。床板の上に敷設された既設の床材を新規な床材に張り替える場合にあっては、排水管を切断したり、床排水トラップを再び排水管に接続したりする作業は不要である。また、排水管に接続された接続部を通過させることができる程度の大きさの穴を新規な床材に形成すればよいため、床排水トラップの周囲に床板そのものが見えることがなく、美感が損なわれない。よって、ホースジョイントの取り付け・取り外しの操作性を維持したまま、床材の張り替え作業を簡単に行うことができるよう改善した床排水トラップを提供できる。
【図面の簡単な説明】
【００１１】
【図１】本発明の一実施形態に係る床排水トラップを示す分解斜視図である。
【図２】床排水トラップを組み立てた状態を示す斜視図である。
【図３】床排水トラップを示す断面図である。
【図４】図４（Ａ）（Ｂ）は、床排水トラップの床固定部材を示す斜視図であり、図４（Ａ）は、接続部とフランジ部の構成片とが分離された状態において示す斜視図、図４（Ｂ）は、接続部にフランジ部の構成片が取り付けられた状態において示す斜視図である。
【図５】図５（Ａ）は、床排水トラップの床固定部材を接続部とフランジ部の構成片とが分離された状態において示す平面図、図５（Ｂ）は、図５（Ａ）の５Ｂ−５Ｂ線に沿う断面図、図５（Ｃ）は、図５（Ａ）の５Ｃ−５Ｃ線に沿う断面図である。
【図６】図６（Ａ）は、図５（Ａ）の６Ａ−６Ａ線に沿う断面図、図６（Ｂ）は、図６（Ａ）の状態から接続部にフランジ部の構成片が取り付けられた状態を示す断面図である。
【発明を実施するための形態】
【００１２】
以下、添付した図面を参照しながら、本発明の実施形態について説明する。図面の説明において同一の要素には同一の符号を付し、重複する説明を省略する。図面における各部材の大きさや比率は、説明の都合上誇張され実際の大きさや比率とは異なる場合がある。
【００１３】
図１〜図３を参照して、本発明の一実施形態に係る床排水トラップ１００を説明する。床排水トラップ１００は、排水ホース１１０によって導かれた排水を床板１２０の下穴１２１に立ち上げられた排水管１３０に排出するために用いる。床排水トラップ１００は、概説すると、排水ホース１１０が接続されるホースジョイント１０と、ホースジョイント１０が接続され床板１２０に固定される床固定部材４０と、床固定部材４０にスライド移動して取り付けられホースジョイント１０を床固定部材４０に押し付けるカバー部材６０と、床固定部材４０に保持される封水筒７０とを有する。床固定部材４０は、ホースジョイント１０が着脱自在に接続されるとともに排水管１３０に接続される接続部４１と、接続部４１に着脱自在に連結されカバー部材６０がスライド移動して取り付けられるフランジ部４２とを有する。フランジ部４２は、複数個の構成片４３、４４に分割され、それぞれの構成片４３、４４が床板１２０に着脱自在にネジ締結される。以下、床排水トラップ１００の構成について詳述する。
【００１４】
ホースジョイント１０は、エルボ形状を有し、水平部の端部に洗濯機の排水ホース１１０が接続される。ホースジョイント１０の下方に垂直円筒部１１が延在し、その外周にフランジ１２が設けられる。ホースジョイント１０は、好ましくはエラストマー製であり、一体成形される。エラストマーとしては、軟質ゴム、軟質合成樹脂などが使用可能である。
【００１５】
ホースジョイント１０は、リング２０および環状シール３０によって床固定部材４０に対して水密に取り付けられる。
【００１６】
リング２０は、２個の部材２１、２２から構成されている。リング２０は、２個の部材２１、２２が係合した状態でホースジョイント１０の垂直円筒部１１を囲繞し、フランジ１２の上面に配置される。符号「２３」は、リング２０の部材２１における上段部の上面を示している。
【００１７】
環状シール３０は、ゴム製であり、好ましくは、ＥＰＤＭ製である。環状シール３０の形状は、平ワッシャー状、断面凸状の平ワッシャー状であってよく、Ｏ−リングであってもよい。
【００１８】
図４〜図６をも参照して、床固定部材４０は、接続部４１と、接続部４１に着脱自在に連結されるフランジ部４２とを有する。接続部４１は、中空の円筒形状を有し、上部開口に、ホースジョイント１０が着脱自在に接続される。接続部４１の外周面に排水管１３０の内周面が接続される（図３を参照）。接続部４１は、接着剤によって排水管１３０に接続される。接続部４１は、フランジ部４２の下面から下方に向けて伸びている。図３および図６（Ａ）（Ｂ）に示すように、接続部４１における内周面の下端に、環状段部４１ａが形成されている。また、接続部４１における内周面の高さ方向の略中間部位にも、環状段部４１ｂが形成されている。
【００１９】
床固定部材４０のフランジ部４２は、角部にＲが付された略矩形の平面形状を有する。フランジ部４２の上に、カバー部材６０をスライド移動して取り付けることが可能である。フランジ部４２は、複数個の構成片４３、４４に分割されている。図示例のフランジ部４２は、２分割され、第１構成片４３と、第２構成片４４とを有する。第１構成片４３には２個のネジ穴４５が形成され、第２構成片４４にも２個のネジ穴４５が形成されている。各ネジ穴４５に図示しない皿ネジなどのネジを通して捩じ込むことによって、第１構成片４３および第２構成片４４のそれぞれが床板１２０にネジ締結される。ネジを外すことによって、第１構成片４３および第２構成片４４のそれぞれを床板１２０から取り外すことができる。各ネジ穴４５は、同一円周上において長穴形状を有するように伸びている。このような形状とすることによって、リフォームなどのときにフランジ部４２を一旦取り外し、その後にフランジ部４２を再びネジ締結する場合、ネジの締結位置を長穴内においてずらすことができる。このため、フランジ部４２の取り付け強度の低下を防ぐことができる。また、フランジ部４２は角型形状であるため、所定の方向から角度がずれた状態にフランジ部４２を固定すると美感が損なわれる。各ネジ穴４５を上記の形状とすることによって、取付時に、角型形状のフランジ部４２の角度調整を簡単に行うことができ、美感が損なわれることがない。
【００２０】
フランジ部４２の第１構成片４３および第２構成片４４のそれぞれは、筒形状を有する接続部４１を径方向外方から挟持自在な挟持部５１、５２を有する。第１構成片４３および第２構成片４４は、互いに向かい合って接続部４１を挟持する。第１構成片４３の挟持部５１は、離間して配置された一対のアーム５３ａ、５３ｂを有し、第２構成片４４の挟持部５２も同様に、離間して配置された一対のアーム５４ａ、５４ｂを有する。一対のアーム５３ａと５３ｂ、５４ａと５４ｂを接続する内周縁５５、５６は、半円弧形状を有する。接続部４１は、アーム５３ａと５３ｂ、５４ａと５４ｂの内周縁５５、５６によって、径方向外方から挟持される。第１構成片４３の一対のアーム５３ａ、５３ｂは、第２構成片４４の一対のアーム５４ａ、５４ｂに向かい合う。第２構成片４４のアーム５４ａ、５４ｂの先端には、係合ピン５７が突出して形成され、第１構成片４３のアーム５３ａ、５３ｂの先端には、係合ピン５７が嵌り込む係合凹部５８が窪んで形成されている（図５（Ａ）および図６（Ａ）を参照）。第１構成片４３および第２構成片４４は、係合ピン５７と係合凹部５８との嵌め合いによって、位置合わせされて組み付けられる。
【００２１】
接続部４１は、床板１２０よりも上方の位置において外方に向けて突出する凸部４６を有する。第１構成片４３および第２構成片４４は、接続部４１の凸部４６を支持する凹所４７を有する。図示例の凸部４６は、接続部４１の上端縁に全周にわたって形成されたフランジ形状を有する。凸部４６を含む部位が、接続部４１における最大の外径寸法となる。図６に示すように、凸部４６の外周面は、下向きの傾斜面４６ａに形成されている。各構成片４３、４４の凹所４７は、上向きの傾斜面４７ａに形成されている。接続部４１は、凸部４６が各構成片４３、４４の凹所４７に支持されることによって、フランジ部４２に支持される。これによって、接続部４１にフランジ部４２を連結したときに、接続部４１がフランジ部４２から脱落することがない。
【００２２】
第１構成片４３は、接続部４１の凸部４６の上面に接触する押え部４８が形成されている。押え部４８によって、接続部４１にフランジ部４２を連結したときに、接続部４１がフランジ部４２から持ち上がることがない。
【００２３】
第１構成片４３および第２構成片４４は、カバー部材６０をスライド移動させる方向に分割されている（図１を参照）。つまり、フランジ部４２の分割方向と、カバー部材６０のスライド移動方向とを揃えている。第１構成片４３と第２構成片４４とを突き合わせてフランジ部４２を形成するときの作業者の手の動きと、カバー部材６０をフランジ部４２に組み付けるときの作業者の手の動きとが同一方向となる。このため、フランジ部４２を形成する作業と、カバー部材６０をフランジ部４２に組み付ける作業との作業性が良好になる。
【００２４】
フランジ部４２の対向する２辺の端部は、ガイドレール４９を構成している（図４を参照）。ガイドレール４９は、第１構成片４３の第１レール片４９ａと、第２構成片４４の第２レール片４９ｂとによって形成される。フランジ部４２の上面には段差が形成されている。上段部の上面４２ａと下段部の上面４２ｂとは異なる高さに構成されている。下段部の上面４２ｂは平面であり、その上をカバー部材６０がスライド移動する。上段部の形状および厚みは、カバー部材６０の取付時において、その厚みおよび形状に対応するように形成されている。
【００２５】
カバー部材６０は、略矩形の平面形状を有する。カバー部材６０は、対向する２辺にコの字形状の係合部６１が設けられる（図１を参照）。カバー部材６０の係合部６１は、フランジ部４２のガイドレール４９と係合する。カバー部材６０は、ガイドレール４９に沿ってスライドし、フランジ部４２に取り付けられる。カバー部材６０を取り付けるときには、例えば、後端部６２を指などで押圧し、スライドさせる。カバー部材６０を取り外すときには、例えば、爪部６３を指などで押圧し、スライドさせる。符号「６４」は、カバー部材６０の縁取りを示している。カバー部材６０の縁取り６４は、リング２０の部材２２に対応する同心円状に形成されている。カバー部材６０をガイドレール４９に沿ってスライドさせると、カバー部材６０がリング２０上に乗り上げるように構成されている。
【００２６】
封水筒７０は、スロート７１と、カップ７２とから構成されている。図３に示されるように、カップ７２は、開口部７３の上部に段差部７４が形成され、スロート７１は、カップ７２の段差部７４に嵌まり合う段差部７５が形成されている。カップ７２の内部にスロート７１を嵌め合わせた封水筒７０は、床固定部材４０の環状段部４１ａによって保持される。封水筒７０は、床固定部材４０の接続部４１の内周面に接した状態において３６０度回転可能である。ホースジョイント１０から流入した排水は、スロート７１の内部を流下した後、スロート７１とカップ７２との間に形成されるスペース内を上方に流れ、カップ７２の開口部７３から流出する。
【００２７】
床排水トラップ１００における各構成部材の形成材料は特に限定されないが、床固定部材４０、カバー部材６０、および封水筒７０などは、例えば合成樹脂脂材料から形成されている。
【００２８】
本実施形態の作用を説明する。まず、床排水トラップ１００の施工について簡単に説明する。
【００２９】
図３に示すように、排水管１３０は、床板１２０の下穴１２１の高さ位置まで立ち上げられている。床板１２０の上にはクッションフロアやフロアタイルなどの床材１４０が敷設されている。床材１４０の穴１４１は、接続部４１における最大の外径寸法部位、つまり凸部４６を含む部位を通過させることができる程度の大きさを有する。床固定部材４０の接続部４１を床材１４０の穴１４１および床板１２０の下穴１２１に通し、接着剤によって排水管１３０の上端部に接続する。
【００３０】
フランジ部４２の第１構成片４３および第２構成片４４のそれぞれを、接続部４１を間に挟むようにして向かい合わせる（図４（Ａ）、図６（Ａ）を参照）。第１構成片４３および第２構成片４４を接続部４１に接近させ、アーム５３ａと５３ｂ、５４ａと５４ｂの内周縁５５、５６によって接続部４１を径方向外方から挟持する（図４（Ｂ）、図６（Ｂ）を参照）。このとき、第１構成片４３および第２構成片４４は、係合ピン５７と係合凹部５８との嵌め合いによって、位置合わせされて組み付けられる。
【００３１】
接続部４１の凸部４６が各構成片４３、４４の凹所４７に支持され、接続部４１がフランジ部４２から脱落することがない。また、第１構成片４３の押え部４８が接続部４１の凸部４６の上面に接触するため、接続部４１がフランジ部４２から持ち上がることがない（図３、図６（Ｂ）を参照）。
【００３２】
第１構成片４３および第２構成片４４の各ネジ穴４５にネジを通して捩じ込み、第１構成片４３および第２構成片４４のそれぞれを床板１２０にネジ締結する。接続部４１とフランジ部４２とが連結されて、床固定部材４０が形成される。床材１４０は、床固定部材４０と床板１２０との間に挟み込まれる。床固定部材４０の周囲に床板１２０そのものが見えることがなく、美感が損なわれない。
【００３３】
封水筒７０を、床固定部材４０の接続部４１の内部に収容し、環状段部４１ａによって保持する。環状シール３０を接続部４１の内部に収容し、封水筒７０の上部に配置する。リング２０をホースジョイント１０のフランジ１２の上面に配置し、接続部４１の内部に収容する。
【００３４】
カバー部材６０をガイドレール４９に沿ってスライドさせると、カバー部材６０がリング２０上に乗り上げることによって締付力が発生する。この締付力が、リング２０を介してフランジ１２に伝達される。フランジ１２の下面が環状シール３０を押圧し、フランジ１２の下面と床固定部材４０の環状段部４１ａとの間が環状シール３０によって水密となる。
【００３５】
次に、既設の床材１４０を新規な床材１４０に張り替えるときの作用を説明する。
【００３６】
まず、カバー部材６０をガイドレール４９に沿ってスライドさせ、床固定部材４０から取り外す。リング２０、ホースジョイント１０、環状シール３０、および封水筒７０を、順に接続部４１の内部から取り外す。
【００３７】
フランジ部４２における第１構成片４３および第２構成片４４の床板１２０へのネジ締結を解除する。接続部４１とフランジ部４２とは着脱自在であり、フランジ部４２が２個の構成片４３、４４に分割されている。接続部４１を排水管１３０に接続したままの状態で、第１構成片４３および第２構成片４４を、接続部４１および床板１２０から取り外すことができる。
【００３８】
床材１４０の穴１４１は、接続部４１における凸部４６を含む部位を通過させることができる程度の大きさを有する。このため、接続部４１を排水管１３０に接続したままの状態で、既設の床材１４０を床板１２０から簡単に剥がし取ることができる。
【００３９】
新規な床材１４０に、接続部４１における凸部４６を含む部位を通過させることができる程度の大きさの穴１４１を形成する。床材１４０の穴１４１に、排水管１３０に接続されたままの接続部４１を通す。床材１４０を床板１２０の上に敷設する。
【００４０】
この後は、床排水トラップ１００の施工時と同様の作業を行う。すなわち、フランジ部４２の第１構成片４３および第２構成片４４によって接続部４１を径方向外方から挟持し、第１構成片４３および第２構成片４４のそれぞれを床板１２０にネジ締結する。封水筒７０、環状シール３０、ホースジョイント１０、およびリング２０をセットした後、カバー部材６０をガイドレール４９に沿ってスライドさせると、ホースジョイント１０が床固定部材４０に水密状態に接続される。
【００４１】
このように、床板１２０の上に敷設された既設の床材１４０を新規な床材１４０に張り替える場合にあっては、排水管１３０を切断したり、床排水トラップ１００を再び排水管１３０に接続したりする作業は不要である。また、排水管１３０に接続された接続部４１を通過させることができる程度の大きさの穴１４１を新規な床材１４０に形成すればよいため、床排水トラップ１００の周囲に床板１２０そのものが見えることがなく、美感が損なわれない。よって、ホースジョイント１０の取り付け・取り外しの操作性を維持したまま、床材１４０の張り替え作業を簡単に行うことができる。
【００４２】
以上説明したように、本実施形態の床排水トラップ１００は、ホースジョイント１０と、床固定部材４０と、カバー部材６０と、封水筒７０とを有し、床固定部材４０は、ホースジョイント１０が着脱自在に接続されるとともに排水管１３０に接続される接続部４１と、接続部４１に着脱自在に連結されカバー部材６０がスライド移動して取り付けられるフランジ部４２とを有する。そして、フランジ部４２が第１構成片４３と第２構成片４４とに分割され、第１と第２のそれぞれの構成片４３、４４が床板１２０に着脱自在にネジ締結される。
【００４３】
床固定部材４０における接続部４１とフランジ部４２とが着脱自在であり、フランジ部４２が第１構成片４３と第２構成片４４とに分割されている。フランジ部４２における第１構成片４３および第２構成片４４の床板１２０へのネジ締結を解除することによって、接続部４１を排水管１３０に接続したままの状態で、フランジ部４２の構成片４３、４４を、接続部４１および床板１２０から取り外すことができる。床板１２０の上に敷設された既設の床材１４０を新規な床材１４０に張り替える場合にあっては、排水管１３０を切断したり、床排水トラップ１００を再び排水管１３０に接続したりする作業は不要である。また、排水管１３０に接続された接続部４１を通過させることができる程度の大きさの穴１４１を新規な床材１４０に形成すればよいため、床排水トラップ１００の周囲に床板１２０そのものが見えることがなく、美感が損なわれない。
【００４４】
接続部４１は筒形状を有し、フランジ部４２の第１構成片４３および第２構成片４４は接続部４１を径方向外方から挟持自在な挟持部５１、５２を有する。
【００４５】
このように構成することによって、フランジ部４２を接続部４１に着脱自在に連結することが可能となる。
【００４６】
接続部４１は、床板１２０よりも上方の位置において外方に向けて突出する凸部４６を有し、フランジ部４２の第１構成片４３および第２構成片４４は、接続部４１の凸部４６を支持する凹所４７を有する。
【００４７】
このように構成することによって、接続部４１にフランジ部４２を連結したときに、接続部４１がフランジ部４２から脱落することがない。
【００４８】
フランジ部４２の第１構成片４３および第２構成片４４は、カバー部材６０をスライド移動させる方向に分割されている。
【００４９】
このように構成することによって、フランジ部４２の分割方向と、カバー部材６０のスライド移動方向とが揃えられため、フランジ部４２を形成するときの作業者の手の動きと、カバー部材６０をフランジ部４２に組み付けるときの作業者の手の動きとが同一方向となる。このため、フランジ部４２を形成する作業と、カバー部材６０をフランジ部４２に組み付ける作業との作業性を良好にできる。
【００５０】
本発明は上述した実施形態に限定されるものではなく適宜改変することができる。例えば、フランジ部４２を２個の構成片４３、４４に分割した実施形態について説明したが、フランジ部４２を３個以上の構成片に分割することができる。
【符号の説明】
【００５１】
１０      ホースジョイント、
２０      リング、
３０      環状シール、
４０      床固定部材、
４１      接続部、
４１ａ    環状段部、
４１ｂ    環状段部、
４２      フランジ部、
４２ａ    上面、
４２ｂ    上面、
４３      第１構成片、
４４      第２構成片、
４５      ネジ穴、
４６      凸部、
４６ａ    傾斜面、
４７      凹所、
４７ａ    傾斜面、
４８      押え部、
４９      ガイドレール、
４９ａ    第１レール片、
４９ｂ    第２レール片、
５１、５２      挟持部、
５３ａ、５３ｂ  アーム、
５４ａ、５４ｂ  アーム、
５５、５６      内周縁、
６０      カバー部材、
７０      封水筒、
７１      スロート、
７２      カップ、
７３      開口部、
１００    床排水トラップ、
１１０    排水ホース、
１２０    床板、
１２１    床板の下穴、
１３０    排水管、
１４０    床材、
１４１    床材の穴。
【図１】
2020084434.tif 000003
【図２】
2020084434.tif 000004
【図３】
2020084434.tif 000005
【図４】
2020084434.tif 000006
【図５】
2020084434.tif 000007
【図６】
2020084434.tif 000008